(57)【特許請求の範囲】
【請求項１】
エレベータ出入口の開口部を遮断するように設けられた遮断体と、この遮断体に掛け下げられ前記開口部を覆うように構成されたシートとからなるエレベータ出入口の養生装置において、
縦方向に長尺な一対の支柱と、
この支柱に固着され、前記遮断体を係止する係止部材と、
前記一対の支柱を前記開口部を形成した壁もしくは床に固定する固定具と
を具備し、
前記一対の支柱は、横断面がコ字状をなすとともに、横断面の先端部は互いに対向する方向に向けた折れ曲げ部を有し、
前記係止部材は、前記支柱の折れ曲げ部を挟持して固着されるように構成され、かつ先端部がＵ字状に形成された舌片の折り曲げ構造からなり、前記Ｕ字状及び折り曲げ構造は前記遮断体を支持可能に構成されたことを特徴とするエレベータ出入口の養生装置。
【請求項２】
前記係止部材は、前記支柱の上下方向に間隔をなして複数個設けられ、下方位置の係止部材は、前記Ｕ字状の舌片の先端部を更に前記支柱側に向け折り曲げたことを特徴とする請求項１に記載のエレベータ出入口の養生装置。
【請求項３】
前記支柱は、下方部に横材固定用の係止具を取り付けたことを特徴とする請求項１に記載のエレベータ出入口の養生装置。
【請求項４】
エレベータ出入口の開口部を遮断するように設けられた遮断体と、この遮断体に掛け下げられ前記開口部を覆うように構成されたシートとからなるエレベータ出入口の養生装置において、
前記開口部を間に対向配置され、縦方向に長尺な一対の支柱と、
この一対の支柱の各対応高さ位置にそれぞれ固着され、各支柱の向きを変えることによって、前記遮断体を異なる向きで係止可能に構成された係止部材と、
前記一対の支柱を前記開口部を形成した壁もしくは床に固定する固定具と
を具備することを特徴とするエレベータ出入口の養生装置。
【発明の詳細な説明】
【０００１】
【発明の属する技術分野】
この発明は、建物（ビル）へのエレベータ据え付け工事等に際し、エレベータ出入口の保護と作業員等の安全確保のために据え付けられるエレベータ出入口の養生装置の改良に関する。
【０００２】
【従来の技術】
エレベータが据え付けられる建物内では、各階床のエレベータ出入口が昇降路に面して開口しているので、開口部の保護と据え付け工事作業員等の安全のために、従来、図１１ないし図１３を参照して説明するエレベータ出入口の養生装置が設けられている。
【０００３】
エレベータ出入口の養生装置は、出入口となる開口部上方を横方向に遮断するようにパイプ状の棒状体が設けられ、その棒状体に矩形状のシート（布）を掛け下げることによって開口部を覆うように構成されている。
【０００４】
図１１及び図１２は、従来のエレベータ出入口の養生装置を説明する図で、図１１（ａ）、及び図１２（ａ）はいずれも乗場（ホール）側からエレベータ出入口を見た正面図、図１１（ｂ）及び図１２（ｂ）はそれぞれ図１１（ａ）及び図１２（ａ）のＡ−Ａ線から矢印方向を見た断面図である。
【０００５】
図１１に示すように、従来のエレベータ出入口の養生装置は、袖壁１を有する開口部２において、その開口部２左右の袖壁１の上下方向に間隔を隔てて、４個の固定金具３が、それぞれ左右で同じ高さ位置となるように、袖壁１にビス止め等により固定される。
【０００６】
固定金具３はＵ字状をなしており、図１２（ａ）及び（ｂ）に示したように、差し渡された棒状体４１，４２を支持するとともに、上方の棒状体４１には紐５ａにより矩形状のシート５がくくり付けられて掛け下げられ、また下方の棒状体４２にもシート５の裏面に縫い付けられた紐５ｂによりシート５が係止され、昇降路６に面した開口部２が覆われるように構成されている。
【０００７】
このようにして、エレベータ出入口の開口部２の大部分は、シート５により塞がれ保護されると同時に、乗場等で作業を行う作業員等の安全も図られる。
【０００８】
また、開口部２の養生と作業員等の安全とを考慮すると、シート５は、開口部２に対しより高い位置まで覆うことが望ましく、そのため上方の棒状体４１を支持する固定金具３は床上高く取り付けることが要求される。
【０００９】
そこで従来は、上方の固定金具３を床上高く取り付けるため、図１３（ａ）及び（ｂ）に示すように、乗場に足場７を組み立て、作業員はその足場７上で、上方の固定金具３の取り付け作業を行っていた。
【００１０】
上記説明の従来のエレベータ出入口の養生装置では、袖壁１を有して開口部２が設けられた場合を説明したが、袖壁１がない建物の構造で、出入口となる開口部２が単に乗場の側壁間に形成されている場合もある。
【００１１】
袖壁１が設けられないエレベータの出入口では、左右の側壁を利用して棒状体４１，４２を支持する構造の固定金具が別途取り付けられ、シートは差し渡された棒状体４１，４２に掛け下げられる。もっとも、左右の側壁間の距離が長く、開口部２が横方向に相当幅広く長い場合は、途中を支える必要がある。そこで、乗場床面と天井壁との間に、ジャッキ付きパイプ等によるいわゆる突っ張り棒を張り、差し渡された長尺な棒状体４１，４２を途中で支えつつシート５の掛け下げが行われた。
【００１２】
【発明が解決しようとする課題】
いずれにしても、上記のように、従来のエレベータ出入口の養生装置では、壁面の高所に固定金具３を取り付ける必要があるので、作業員は乗場に足場７を組むか、あるいは脚立を運び込み、その足場７や脚立の上で養生装置の据え付け作業が行なわれた。
【００１３】
しかし、そのために、各乗場階床毎にわざわざ足場を組み上げたり、脚立を運び込む必要があり、手間がかかる上、足場や脚立上での作業は、作業の安全が損なわれるとともに作業効率が低下するので改善が要望されていた。
【００１４】
そこで本発明は、足場の組み立てや、脚立の運び込みを必要とすることなく、より簡単かつ安全に据え付け可能なエレベータ出入口の養生装置を提供することを目的とする。
【００１５】
【課題を解決するための手段】
請求項１にかかる発明は、エレベータ出入口の開口部を遮断するように設けられた遮断体と、この遮断体に掛け下げられ前記開口部を覆うように構成されたシートとからなるエレベータ出入口の養生装置において、縦方向に長尺な一対の支柱と、この支柱に固着され、前記遮断体を係止する係止部材と、前記一対の支柱を前記開口部を形成した壁もしくは床に固定する固定具とを具備し、前記一対の支柱は、横断面がコ字状をなすとともに、横断面の先端部は互いに対向する方向に向けた折れ曲げ部を有し、前記係止部材は、前記支柱の折れ曲げ部を挟持して固着されるように構成され、かつ先端部がＵ字状に形成された舌片の折り曲げ構造からなり、前記Ｕ字状及び折り曲げ構造は前記遮断体を支持可能に構成されたことを特徴とする。
【００１６】
このように、請求項１記載のエレベータ出入口の養生装置は、遮断体の係止部材を支柱に固着し、その支柱を壁もしくは床に固定するように構成したので、作業員は足場や脚立を格別使用することなく、遮断体に固定した係止部材により、床上高くシートを掛け下げることができる。また、係止部材は支柱の折れ曲げ部を挟持して固着されるので、係止部材が取り付け固着される支柱上の位置を、その支柱の長さ方向に任意に選定調整することができる。従って、開口部高さの異なる建物のエレベータ出入口にも容易に適応して設置することができる。また、先端部をＵ字状に形成した舌片をＬ字状に折り曲げて遮断体を支持するように構成されたので、支柱の向きを９０度変えて取り付けられても、遮断体は開口部を横断するように係止させることができる。すなわち支柱は、例えば袖壁とは９０度向きを異にした側壁に取り付けても、開口部を横断する遮断体を支持し、開口部を養生することができる。
【００２１】
請求項２に記載の発明は、請求項１に記載のエレベータ出入口の養生装置において、係止部材は、支柱の上下方向に間隔をなして複数個設けられ、下方位置の係止部材は、Ｕ字状の舌片の先端部を更に支柱側に向け折り曲げたことを特徴とする。
【００２２】
このように、請求項２に記載の発明は、下方に位置して取り付けた係止部材の先端部を支柱側に折り曲げたので、遮断体は係止部材から外れにくく、安定した養生装置を提供することができる。
【００２３】
請求項３に記載の発明は、請求項１に記載のエレベータ出入口の養生装置において、支柱は、下方部に横材固定用の係止具を取り付けたことを特徴とする。
【００２４】
このように、支柱下方部に横材固定用の係止具を取り付けたので、左右の係止具間に横材を差し渡すことができる。その結果、乗場階床上から昇降路内へ工具類等が誤って転がり落ちるのを防ぐことができる。
【００２５】
請求項４に記載の発明は、エレベータ出入口の開口部を遮断するように設けられた遮断体と、この遮断体に掛け下げられ開口部を覆うように構成されたシートとからなるエレベータ出入口の養生装置において、開口部を間に対向配置され、縦方向に長尺な一対の支柱と、この一対の支柱の各対応高さ位置にそれぞれ固着され、各支柱の向きを変えることによって、遮断体を異なる向きで係止可能に構成された係止部材と、一対の支柱を開口部を形成した壁もしくは床に固定する固定具とを具備することを特徴とする。
【００２６】
このように、請求項４に記載のエレベータ出入口の養生装置は、係止部材を固着した支柱を壁もしくは床に固定するように構成したので、作業員は足場や脚立を格別使用することなく、床上高くシートを掛け下げることができる。また、係止部材は異なる向きで遮断体を係止できるように構成したので、固定する支柱の向きを選択変更することができる。
【００２７】
【発明の実施の形態】
以下この発明によるエレベータ出入口の養生装置の一実施の形態を図１ないし図１０を参照して詳細に説明する。なお、図１１ないし図１３に示した従来の構成と同一構成には同一符号を付して詳細な説明は省略する。
【００２８】
図１（ａ）は、図１１（ａ）に対応して示したこの発明によるエレベータ出入口の養生装置の一実施の形態を示す正面図で、図１（ｂ）は図１（ａ）のＡ−Ａ矢視断面図である。
【００２９】
袖壁１を有して開口部２が設けられたエレベータの出入口において、開口部２左右の袖壁１には、長尺な一対の支柱８，８が固定具９により縦長に取り付け固定され、その支柱８，８には、従来と同様な構成からなる棒状体４１，４２を係止する係止部材１０１，１０２が固着される。なお、以下に記載する棒状体４１，４２は、開口部２を遮断するように設けられた遮断体であり、例えばパイプ状でもあっても良い。
【００３０】
一対の支柱８，８は、図２に拡大して示すように、横断面がコ字状をなしているとともに、その先端部は互いに対向する方向に向け折り曲げた折れ曲げ部８１を有している。
【００３１】
一方、図１に示した係止部材１０１，１０２の内、支柱８，８の上方に取り付け固着される係止部材１０１は、図２（ａ）及び図２（ｂ）に示すように、支柱８の折れ曲げ部８１，８１を挟持して固着するように構成される。
【００３２】
そして、係止部材１０１は、先端部がＵ字状をなした舌片１０１ａが図示のようにＬ字状に折り曲げ加工されていて、他端部側は支柱８に向け突設し、図２（ｂ）に示すように、蝶ねじ１０１ｂ及び止め板１０１ｃにより、支柱８の折れ曲げ部８１，８１を挟持してねじ止め固着される。
【００３３】
なお、係止部材１０１の中央下端部には、支柱８の折れ曲げ部８１，８１間に嵌め込まれる突起部１０１ｄが形成されており、係止部材１０１が回転することなく支柱８に安定固着される。
【００３４】
また、支柱８は固定具９によって袖壁１に固定されるが、固定具９は、図３（ａ）及び図３（ｂ）に示すように、袖壁１に埋込まれたアンカーボルト９ａと六角ナット９ｂとからなり、支柱８の底部に縦長に開口して形成されたスリット８２を介した締付けにより、支柱８は袖壁１に固定される。なお、支柱８，８は、図１に示すように、支柱８の下端部でも、固定具９によって袖壁１に固定される。
【００３５】
支柱８の下方にも、棒状体４２を支持する上記係止部材１０１と同様な構造からなる係止部材１０２が固着されるが、この実施の形態の係止部材１０２は、図４（ａ）の分解斜視図、及び図４（ｂ）の横断面図にそれぞれ示すように、Ｕ字状の舌片１０２ａの先端部は更に支柱８側に折り曲げ構成されている。
【００３６】
なお、係止部材１０２自体は、係止部材１０１と同様に、支柱８の折れ曲げ部８１，８１を止め板１０２ｃと蝶ねじ１０２ｂとで挟持してねじ止めすることで固着され、またそのとき、下端部に形成された突起部１０２ｄが、折れ曲げ部８１，８１間に嵌め込まれるので、係止部材１０２は回転することなく支柱８に堅固に組み込み固着される。
【００３７】
さらに、この実施の形態では、図１に示すように、開口部２の下方部を横方向に遮断するように横材１１が差し渡され、支柱８の下方部には、この横材１１を係止する係止具１２が固着される。横材１１としては、例えば木製やステンレス製等のいわゆる幅木を採用することができる。
【００３８】
横材１１を係止する係止具１２は、その要部を図５（ａ）の斜視図、及び図５（ｂ）の横断面図に拡大して示すように、一点鎖線で示した横材１１の厚さｈよりわずか広い幅Ｈからなる縦長な開口スリット１２ａを有するとともに、幅Ｈを形成してＵ字状に折れ曲げ加工形成されている。
【００３９】
そこで平ねじ１２ｂが、係止具１２、及び支柱８の折れ曲げ部８１，８１を間に挟みつつ止め板１２ｃに捩じ込まれることにより、係止具１２は支柱８に固着される。このときも、係止具１２の突起部１２ｄは折れ曲げ部８１，８１間に嵌め込まれ、係止具１２の回り止めを防いで堅固に固着される。
【００４０】
上記のように、開口部２の左右両袖壁１に縦長にそれぞれ固定された支柱８，８は、上端部側からそれぞれ係止部材１０１，１０１，同じく係止部材１０２，１０２が左右高さの対称位置に取り付け固定され、さらに下端部には横材１１固定用の係止具１２が取り付けられる。
【００４１】
その結果、図６に示すように、左右の各係止部材１０１，１０２間には、エレベータ出入口の開口部２上方及び下方をそれぞれ横断するように棒状体４１，４２が差し渡され、その棒状体４１，４２にシート５が掛け下げられて開口部２は養生される。
【００４２】
このとき、上方の棒状体４１は図７に拡大して示したように係止部材１０１に係止され、下方の棒状体４２も同じく図８に拡大して示したように係止部材１０２に係止される。なお、係止部材１０２は、図示のようにＵ字状の舌片１０２ａの先端部を更に支柱８側に向け折り曲げたので、棒状体４２は上方に外れにくくなり、より安定する。
【００４３】
なお、支柱８の下方部に取り付けられた係止具１２は、開口部２の下方部を横方向に遮断する横材１１を挟み込み保持するので、例えば床上の工具類が転がって、誤って昇降路内に落下するようなことを未然に防ぐことができる。
【００４４】
上記実施の形態では、支柱８が袖壁１に取り付け固定された場合を説明したが、エレベータ開口部２に袖壁１がなく、単に側壁によって開口部２が形成された場合でも、上記構成の養生装置を採用することができる。
【００４５】
すなわち、支柱８が側壁に取り付けられた状態では、袖壁１の場合とは違って、支柱８の向きが９０度異なるが、図９に示すように、上方の棒状体４１は、側壁に取り付けられた係止部材１０１のＵ字状の舌片１０１ａ間に嵌め込まれて係止し、シート５が掛け下げられる。なおこのとき、図示しないが、下方の棒状体４２も同様に、係止部材１０２のＵ字状の舌片１０２ａ間に、９０度向きを変えて、嵌め込み係止される。さらに、下方部に設けた横材１１固定用の係止具１２も、図１０に示すように、９０度向きを変え、幅Ｈの開口スリット１２ａに嵌め込まれる。
【００４６】
従って、上記実施の形態によれば、エレベータ出入り口の構造に対応して、一対の支柱８をそれぞれ向きを変えて取り付けることができ、据え付け作業上の選択の幅を広げることができる。
【００４７】
いずれにしても、上記実施の形態によるエレベータ出入口の養生装置によれば、縦長な一対の支柱８，８に棒状体４１，４２を取り付け固定し、開口部２を形成した壁に取り付けるので、作業員は各階床において、足場や脚立を逐一設置することなく、容易かつ安全に、据え付け作業を実施することができる。
【００４８】
なお、上記実施の形態において、固定具９をアンカーボルト９ａと六角ナット９ｂで構成するように説明したが、例えばコンクリート打ち込み用ビスで支柱８を固定すようにしても良い。また、壁側にボルト等を埋め込むとき、その位置決め用に、予め支柱８，８の底部に、けがき用の孔を設けておき、その孔を利用した位置決めにより固定具９取り付け用の穴を壁に設けるようにしても良い。
【００４９】
また、上記実施の形態において、上方の棒状体４１は開口部２の上方を覆うとして説明したが、開口部２全体を覆っても、あるいは開口部２の上端側の一部を残して下方の大部分を覆うようにしても良い。さらにまた、各支柱８，８を壁に固定するように説明したが、例えばＬ字状のブラケットを床に固定し、そのブラケットに支柱８，８を固定して立設するようにしても良い。
【００５０】
いずれにしても、本発明によるエレベータ出入口の養生装置は、格別足場や脚立を用意することなく、作業員は各階床において安全かつ効率良く養生装置を設置することができ、実用に際し得られる効果大である。
【００５１】
【発明の効果】
請求項１に記載のエレベータ出入口の養生装置によれば、遮断体の係止部材を支柱に固着し、その支柱を壁もしくは床に固定するように構成したので、作業員は足場や脚立を使用することなく、床上高くシートを掲げ取り付けることができる。また、係止部材は支柱の折れ曲げ部を挟持して固着されるので、係止部材が取り付け固着される支柱上の位置を、その支柱の長さ方向に任意に選択することができ、異なる建物等で、開口部の高さを異にしたエレベータ出入口にも容易に対応させることができる。また、先端部をＵ字状に形成した舌片をＬ字状に折り曲げて支柱に突設するので、例えば支柱を袖壁に取り付けた場合は、遮断体はＬ字状の折り曲げ部に、また支柱を側壁に取り付けた場合は遮断体はＵ字状の舌片間に嵌め込むことができ、袖壁の有無にかかわらず採用することができる。
【００５４】
請求項２に記載の発明は、下方に位置して取り付けた支持部材の先端部を支柱側に折れ曲げ構成したので、遮断体は支持部材からはずれにく、開口部の安定した保護と、作業員の安全を確保することができる。
【００５５】
請求項３に記載の発明は、支柱下部に横材固定用の係止具を取り付けたので、左右の係止具間に横材を差し渡すことができ、床上の工具類が転がって、昇降路内に落下するようなことを回避することができる。
【００５６】
請求項４に記載のエレベータ出入口の養生装置によれば、係止部材を固着した支柱を壁もしくは床に固定するように構成したので、請求項１に記載の発明と同様に、作業員は足場や脚立を格別使用することなく、床上高くシートを掛け下げることができる。また、係止部材は互いに異なる向きで遮断体を係止できるように構成したので、固定する支柱の向きを選択することができ、構造の異なる出入口にも容易に対応して設置することができる。
【図面の簡単な説明】
【図１】図１は、この発明によるエレベータ出入口の養生装置の一実施の形態を説明する図で、図１（ａ）は袖壁に支柱を取り付けた状態を示す正面図、図１（ｂ）
は、図１（ａ）のＡ−Ａ矢視断面図である。
【図２】図２（ａ）は、図１において係止部材１０１の取り付け状態を説明する要部分解斜視図、図２（ｂ）は、係止部材１０１を取り付け状態を示す横断面図である。
【図３】図３（ａ）は、図１において支柱８の取り付け状態を説明する要部分解斜視図、図３（ｂ）は、支柱８が取り付け固定された状態を示す横断面図である。
【図４】図４（ａ）は、図１において係止部材１０２の取り付け状態を説明する要部分解斜視図、図４（ｂ）は、係止部材１０２を取り付け固定した状態を示す横断面図である。
【図５】図５（ａ）は、図１において横材１１固定用の係止具１２の取り付け状態を説明する要部分解斜視図、図５（ｂ）は、係止具１２が取り付け固定された状態を示す横断面図である。
【図６】図６は、図１に示した構成にシート５を掛け下げた状態を説明する図で、図６（ａ）は正面図、図６（ｂ）は、図６（ａ）のＡ−Ａ矢視断面図である。
【図７】図７は、図６の係止部材１０１の取り付け部を示す要部斜視図である。
【図８】図８は、図６の係止部材１０２の取り付け部を示す要部斜視図である。
【図９】図９は、図７に示した係止部材１０１に９０度異なる方向に棒状体４１を取り付けた状態を示す要部斜視図である。
【図１０】図１０は、図５に示した係止具１２に９０度異なる方向に横材１１を取り付けた状態を示す要部斜視図である。
【図１１】図１１は、従来のエレベータ出入口の養生装置を説明する図で、図１１（ａ）は袖壁に固定金具を取り付けた状態を示す正面図、図１１（ｂ）は、図１１（ａ）のＡ−Ａ矢視断面図である。
【図１２】図１２は、図１１に示した構成にシート５を掛け下げた状態を説明する図で、図１２（ａ）は正面図、図１２（ｂ）は、図１２（ａ）のＡ−Ａ矢視断面図である。
【図１３】図１３（ａ）は、図１１に示した固定金具を取り付けるための足場を設置した状態を示す正面図、図１３（ｂ）は、図１３（ａ）のＡ−Ａ矢視断面図である。
【符号の説明】
１  袖壁
２  開口部
３  固定金具
４１，４２  棒状体
５  シート（布）
６  昇降路
７  足場
８１，８２  支柱
９  固定具
９ａ  アンカーボルト
９ｂ  六角ナット
１０１，１０２  係止部材
１０１ａ，１０２ａ  舌片
１１  横材
１２  係止具
【図１】
0004439083.tif 000002
【図２】
0004439083.tif 000003
【図３】
0004439083.tif 000004
【図４】
0004439083.tif 000005
【図５】
0004439083.tif 000006
【図６】
0004439083.tif 000007
【図７】
0004439083.tif 000008
【図８】
0004439083.tif 000009
【図９】
0004439083.tif 000010
【図１０】
0004439083.tif 000011
【図１１】
0004439083.tif 000012
【図１２】
0004439083.tif 000013
【図１３】
0004439083.tif 000014